(57)【特許請求の範囲】
【請求項１】
複数の行き先予定地から行き先予定地を基準位置として選択するための第１の選択手段と、
端末機器における表示内容を決定する表示内容決定手段と、を備える行き先候補表示システムにおいて、
前記表示内容決定手段は、
複数の行き先候補の位置情報と前記第１の選択手段により選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにすることを特徴とする行き先候補表示システム。
【請求項２】
請求項１記載の行き先候補表示システムにおいて、
前記表示内容決定手段は、
前記複数の行き先候補を前記基準位置に関連の強い度合い毎に複数段階に分類し、前記関連の強い段階が中心側に配置され、前記関連の弱い段階が外側に配置されるように前記表示内容を決定することを特徴とする行き先候補表示システム。
【請求項３】
請求項１又は２記載の行き先候補表示システムにおいて、
前記表示内容決定手段は、中心側に配置される段階の前記アイコンが、外側に配置される段階の前記アイコンよりも大きく表示されるように前記表示内容を決定することを特徴とする行き先候補表示システム。
【請求項４】
請求項１〜３のいずれか一項に記載の行き先候補表示システムにおいて、
前記端末機器は、
旅行の予定を記憶する記憶手段と、
複数の前記行き先候補に対応したアイコンから少なくとも一つを選択するための第２の選択手段とを備え、
前記端末機器は、前記表示内容決定手段によって決定された表示内容を表示し、当該表示に基づいて前記第２の選択手段により選択された前記アイコンに対応する前記行き先候補を前記記憶手段に前記旅行の予定として記憶させることを特徴とする行き先候補表示システム。
【請求項５】
複数の行き先予定地から行き先予定地を基準位置として選択し、
複数の行き先候補の位置情報と前記選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにすることを特徴とする行き先候補表示方法。
【請求項６】
コンピュータを、
複数の行き先予定地から行き先予定地を基準位置として選択するための選択手段、
複数の行き先候補の位置情報と前記選択手段により選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにする表示内容決定手段、として機能させることを特徴とするプログラム。
【発明の詳細な説明】
【技術分野】
【０００１】
本発明は、行き先候補表示システム、行き先候補表示方法及びプログラムに関する。
【背景技術】
【０００２】
近年、例えばナビゲーション装置などの行き先候補表示システムには、ユーザーの要望に応じた行き先の候補を検索、表示する機能が搭載されている。そして、行き先候補表示システムとしては、現在地からの距離がほぼ同じ候補を地図上に表示する機能を備えたものも知られている（例えば特許文献１参照）。
【先行技術文献】
【特許文献】
【０００３】
【特許文献１】特開２００６−１４５３３０号公報
【発明の概要】
【発明が解決しようとする課題】
【０００４】
しかしながら、複数の行き先の候補を地図上に表示したとしても、地図を拡大、縮小しなければ、検索結果である複数の候補を認識しづらく、ユーザーにとっても使いづらいものであるのが実状である。
【０００５】
そこで、本発明の課題は、複数の行き先の候補における現在地からの距離感を直感的にユーザーに印象づけることである。
【課題を解決するための手段】
【０００６】
以上の課題を解決するための請求項１記載の発明は、
複数の行き先予定地から行き先予定地を基準位置として選択するための第１の選択手段と、
端末機器における表示内容を決定する表示内容決定手段と、を備える行き先候補表示システムにおいて、
前記表示内容決定手段は、
複数の行き先候補の位置情報と前記第１の選択手段により選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにすることを特徴としている。
【０００７】
請求項２記載の発明は、請求項１記載の行き先候補表示システムにおいて、
前記表示内容決定手段は、
前記複数の行き先候補を前記基準位置に関連の強い度合い毎に複数段階に分類し、前記関連の強い段階が中心側に配置され、前記関連の弱い段階が外側に配置されるように前記表示内容を決定することを特徴としている。
【０００８】
請求項３記載の発明は、請求項１又は２記載の行き先候補表示システムにおいて、
前記表示内容決定手段は、中心側に配置される段階の前記アイコンが、外側に配置される段階の前記アイコンよりも大きく表示されるように前記表示内容を決定することを特徴としている。
【００１０】
請求項４記載の発明は、請求項１〜３のいずれか一項に記載の行き先候補表示システムにおいて、
前記端末機器は、
旅行の予定を記憶する記憶手段と、
複数の前記行き先候補に対応したアイコンから少なくとも一つを選択するための第２の選択手段とを備え、
前記端末機器は、前記表示内容決定手段によって決定された表示内容を表示し、当該表示に基づいて前記第２の選択手段により選択された前記アイコンに対応する前記行き先候補を前記記憶手段に前記旅行の予定として記憶させることを特徴としている。
【００１１】
請求項５記載の発明に係る行き先候補表示方法は、
複数の行き先予定地から行き先予定地を基準位置として選択し、
複数の行き先候補の位置情報と前記選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにすることを特徴としている。
【００１２】
請求項６記載の発明に係るプログラムは、
コンピュータを、
複数の行き先予定地から行き先予定地を基準位置として選択するための選択手段、
複数の行き先候補の位置情報と前記選択手段により選択された基準位置の基準位置情報とから、前記基準位置から前記複数の行き先候補のそれぞれまでの移動コストを求め、当該移動コストに基づいて前記行き先候補を複数段階に分類し、前記基準位置情報に基づく基準位置のランドマークを示すアイコンを中心とした前記段階毎の多重の同心円状に、前記行き先候補に対応するアイコンが配置されるように表示内容を決定し、複数の前記行き先候補を複数のジャンルのジャンル毎に分類し、前記ジャンル毎にまとまって前記複数のジャンルのアイコンが配置されるようにする表示内容決定手段、として機能させることを特徴としている。
【発明の効果】
【００１３】
本発明によれば、基準位置から複数の行き先候補までの距離感を直感的にユーザーに知らせることができる。
【図面の簡単な説明】
【００１４】
【図１】本実施形態に係る行き先候補表示システムの概略構成を示すブロック図である。
【図２】本実施形態に係る携帯端末の主制御構成を示すブロック図である。
【図３】図２の携帯端末の表示部で表示される計画内容表示の一例を示す説明図である。
【図４】本実施形態に係るサーバ装置の主制御構成を示すブロック図である。
【図５】本実施形態に係る所定の操作の一例を示す説明図である。
【図６】本実施形態に係る行き先候補表示処理の流れを示すフローチャートである。
【図７】本実施形態に係る行き先候補検索処理の流れを示すフローチャートである。
【図８】本実施形態に係る携帯端末の表示部で表示される表示内容の一例を示す説明図である。
【図９】図８の表示内容から計画内容表示に切り替わった際の状態を示す説明図である。
【発明を実施するための形態】
【００１５】
以下に本発明の実施形態につき図面を参照して説明する。以下は本発明の一実施形態であって本発明を限定するものではない。
【００１６】
以下、図面を参照しながら、この発明の一実施形態について詳しく説明する。
［１−１．システム構成の説明］
まず、本実施形態に係る行き先候補表示システム１００の構成について説明する。
図１は本実施形態に係る行き先候補表示システム１００の概略構成を示すブロック図である。
行き先候補表示システム１００は、図１に示すように、情報処理装置としてのサーバ装置１と、複数の基地局２と、複数の携帯端末３と、を備えて構成されている。この行き先候補表示システム１００において、サーバ装置１と基地局２とは、通信ネットワークＮにより互いに通信可能に接続されている。通信ネットワークＮは、具体的には、インターネットや電気通信事業者等の電話回線網や携帯電話通信網等である。
【００１７】
サーバ装置１は、例えば、ＰＣ、ＷＳ（Work Station）等の情報機器であり、携帯端末３からのアクセスに応じて所定の動作を行う。
【００１８】
基地局２は、携帯電話通信網などにおける無線基地局であり、携帯端末３と通信ネットワークＮとの間のデータ通信を中継する。このため、行き先候補表示システム１００では、サーバ装置１と携帯端末３とが、互いに通信可能に接続されている。
【００１９】
携帯端末３は、スマートフォンやタブレットなどのスマートデバイス、携帯電話機等の各ユーザーが所持して使用する携帯型端末機器である。また、携帯端末３は、通信ネットワークＮ（具体的には、携帯端末の通信回線や無線ＬＡＮ（Local Area Network）等）を用いて、サーバ装置１との間で相互に通信を行う。
【００２０】
［１−２．携帯端末の構成の説明］
次に、携帯端末３の構成について説明する。なお、以下の説明においては、携帯端末３としてスマートデバイスなどのタッチパネルを搭載した端末を例示して説明するが、携帯端末３としてはこれに限定されるものではなく、フィーチャーフォンやノート型パソコン、携帯ゲーム機、ナビゲーション機器などであっても構わない。
【００２１】
図２は携帯端末３の主制御構成を示すブロック図である。
携帯端末３は、図２に示すように、制御部３１、操作部３２、表示部３３、記憶部３４、現在位置取得部３５、通信部３６を備えて構成されている。
制御部３１は、ＣＰＵ、ＲＯＭ、ＲＡＭなどを備えて構成され、ＲＡＭの作業領域に展開されたＲＯＭや記憶部に記憶されたプログラムデータとＣＰＵとの協働により、携帯端末３の各部を統括制御する。
【００２２】
操作部３２は、例えば、ホームボタンからなるキー入力部３２１と、表示部３３と一体的に形成されたタッチパネル３２２とを備えており、ユーザーからの操作入力を受け付けて、操作入力に応じた操作信号を制御部へと出力する。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。
【００２３】
記憶部３４は、例えば、ＨＤＤ、半導体メモリなどにより構成され、プログラムデータや各種データを制御部から読み書き可能に記憶する。プログラムデータとしては、例えば、旅行の予定を計画するための旅行計画アプリケーションが挙げられる。また、各種データには、旅行計画アプリケーションで計画された旅行の予定も含まれている。つまり、記憶部３４が本発明に係る記憶手段である。
【００２４】
現在位置取得部３５は、ＧＰＳモジュール、自律航法ユニット等を備えて構成されている。ＧＰＳモジュールは、ＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて携帯端末３の絶対的な現在位置（緯度、経度）を検出し、検出した位置情報を基準位置情報として制御部３１に出力する。
【００２５】
通信部３６は、アンテナや通信回路を備え、制御部３１による制御の下で外部機器との間の無線通信を行う。具体的には、通信部３６は、基地局２で中継されることで、通信ネットワークＮを介してデータ通信を行う。
【００２６】
携帯端末３の制御部３１は、ユーザーからの操作部３２に対する操作によって旅行計画アプリケーションが選択されると、記憶部３４から旅行計画アプリケーションを読み出し実行する。旅行計画アプリケーションの実行時においては制御部３１は、旅先での複数の行き先予定地をユーザーからの操作に基づいてスケジューリングする。制御部３１は計画内容を記憶部３４に記憶させる。そして、ユーザーが操作部３２を操作して計画内容の確認指示を行うと、制御部３１は記憶部３４中の計画内容を読み出し表示部３３に表示する。これにより、旅行前或いは旅行時にユーザーが計画内容を確認できるようになっている。
【００２７】
図３は携帯端末３の表示部３３で表示される計画内容表示の一例を示す説明図である。
図３に示すように、携帯端末３の表示部３３には、１１時の行き先予定地である寺院を示すアイコン３３ａ、１２時の行き先予定地である銅像を示すアイコン３３ｂ、１４時の行き先予定地であるタワーを示すアイコン３３ｃが時系列順に並んで表示されている。
なお、表示部３３に表示されているＭＡＰアイコン３３ｄがユーザーによってタッチされると、携帯端末３の制御部３１は、各行き先予定地の位置が地図上に示されるように表示部３３を制御する。また、表示部３３に表示されているｉアイコン３３ｅがユーザーによってタッチされると、携帯端末３の制御部３１は、各行き先予定地の詳細情報が表示されるように表示部３３を制御する。
【００２８】
また、旅行計画アプリケーションでは、旅行時に急遽空き時間ができた場合に、その空き時間内に立ち寄れる行き先候補を検索／表示する行き先候補表示機能が搭載されている。ユーザーによって行き先候補表示機能の実行指示が操作部３２から入力されると、制御部３１は、通信部３６を制御することにより、行き先候補の検索指示と、現在地の基準位置情報とをサーバ装置１に送信する。
送信処理後、サーバ装置１から送られた検索結果を受信すると、制御部３１は当該検索結果を基にした表示内容を表示部３３に表示させる。行き先候補表示処理の具体的な流れについては後述する。
【００２９】
［１−３．サーバ装置の構成の説明］
次に、サーバ装置１の構成について、詳細に説明する。
図４はサーバ装置１の主制御構成を示すブロック図である。
サーバ装置１は、図４に示すように、制御部１１と、操作部１２と、表示部１３と、記憶部１４と、通信部１５と、を備えて構成されている。
制御部１１は、サーバ装置１の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１の各部を統括制御する。
【００３０】
操作部１２は、例えば、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部１１へと出力する。
【００３１】
表示部１３は、例えば、ＣＲＴ（Cathode Ray Tube）やＬＣＤ（Liquid Crystal Display）などのディスプレイを備え、制御部１１から出力された表示制御信号に基づいた画像を表示画面に表示する。
【００３２】
記憶部１４は、例えば、ＨＤＤ（Hard disk drive）、半導体メモリなどにより構成さ
れ、プログラムデータや各種設定データ等のデータを制御部１１から読み書き可能に記憶する。記憶部１４は、地形情報や当該地形内に存在する各施設の施設情報などを地図情報として記憶している。
施設情報は、本発明に係る識別情報であり、施設の位置情報と、施設のアイコン情報と、施設のジャンル情報と、詳細情報とを含んでいる。
位置情報は、施設の緯度、経度を示すものである。
アイコン情報は、施設の特徴を簡易的或いは模式的なアイコンとして表示するためのものである。
ジャンル情報は、施設のジャンルを示すものである。ジャンルとしては、例えば、「飲食」、「観光地」、「宿泊」、「買い物」等が挙げられる。なお、ジャンルは階層的に分類されていてもよい。具体的には、前述のジャンルを大カテゴリーとした場合、大カテゴリー内の各施設をさらに小カテゴリーに分類する。一例として大カテゴリーである「飲食」のジャンルは、「和食」、「洋食」、「スイーツ」等の小カテゴリーのジャンルに分類される。
詳細情報は、施設の詳細についてまとめられたものである。
【００３３】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。
【００３４】
サーバ装置１の制御部１１は、携帯端末３から行き先候補の検索指示と、携帯端末３の基準位置情報とが通信部１５を介して入力されると、現在地から訪問可能な行き先候補を記憶部１４内の施設情報から検索する。検索後においては、サーバ装置１の制御部１１は、検索結果を通信部１５から携帯端末３へと送信する。
【００３５】
［２．動作の説明］
次に、本実施形態に係る行き先候補表示システム１００における行き先候補表示処理の具体的な動作について説明する。
【００３６】
まず、ユーザーが旅行時に空き時間を見つけ、携帯端末３の操作部３２に対して所定の操作を行うことで行き先候補表示処理が実行される。所定の操作としては、例えば図５に示すように、空き時間となる時間近傍のアイコン３３ｂをユーザーが指Ｆで長押しすることが挙げられる。なお、これ以外にも、専用のアイコンを表示部３３に表示し、当該アイコンをユーザーがタッチすることを所定の操作としてもよい。
【００３７】
図６は携帯端末３における行き先候補表示処理の流れを示すフローチャートである。
図６に示すように、行き先候補表示処理の開始に伴い、携帯端末３の制御部３１は行き先候補の検索指示と携帯端末３の基準位置情報とをサーバ装置１に送信する（ステップＳ１）。
【００３８】
サーバ装置１の制御部１１では、携帯端末３から行き先候補の検索指示を受信すると、行き先候補検索処理を実行する。
図７はサーバ装置１における行き先候補検索処理の流れを示すフローチャートである。
図７に示すように、行き先候補検索処理の開始に伴い、サーバ装置１の制御部１１は、携帯端末３の基準位置情報から行き先候補を検索する（ステップＳ１１）。具体的にはサーバ装置１の記憶部１４に記憶されている多数の施設の位置情報と、携帯端末３の基準位置情報とから携帯端末３と各施設との距離を求め、その距離が所定の距離以下となる施設を、携帯端末３の周囲、つまりユーザーの現在地の周囲に存在する行き先候補として検索する。所定の距離としては、予めサーバ装置１或いは携帯端末３に設定された値あってもよいし、行き先候補表示処理の開始時に入力される任意の値であってもよい。なお、これ以降においても、携帯端末３側で表示する行き先候補が選別されるので、空き時間でも訪問できない程度に広範囲となるように所定の距離を設定してもよい。
【００３９】
そして、サーバ装置１の制御部１１は、検索結果である複数の施設の施設情報を携帯端末３に送信する（ステップＳ１２）。これにより行き先候補検索処理が終了となる。
【００４０】
図６に示すように、ステップＳ１の直後においては、携帯端末３の制御部３１はサーバ装置１からの検索結果を受信したか否かを判断している（ステップＳ２）。受信していない場合（ステップＳ２；ＮＯ）は制御部３１はそのままの状態で待機する。受信した場合（ステップＳ２；ＹＥＳ）は制御部３１はステップＳ３に移行する。
【００４１】
次いで、制御部３１は、サーバ装置１から受信した検索結果を基に表示用候補を決定する（ステップＳ３）。
具体的には、制御部３１は、検索結果としてサーバ装置１から入力された複数の施設情報から、行き先候補の位置情報を読み出す。そして、制御部３１は、行き先候補の位置情報と携帯端末３の基準位置情報とから、現在地から複数の行き先候補それぞれまでの距離を求める。次いで、制御部３１は、各行き先候補までの距離を移動コストとし、複数の行き先候補から距離が所定の条件に収まる行き先候補を選別する。所定の条件は、現在地からユーザーが空き時間内で訪問可能な条件である。移動コストが単に距離である場合には、所定の移動手段で空き時間内に訪問可能な距離が所定の条件となる。空き時間や移動手段は携帯端末３にデフォルトとして設定されていてもよいし、ユーザーが任意で選択できるようにしてもよい。例えば、空き時間が１時間、移動手段が徒歩である場合には、行き先候補までの距離１ｋｍ程度を所定の条件として設定する。空き時間が長くなれば条件となる距離も長くなり、移動手段が高速になれば条件となる距離も長くなる。
そして、制御部３１は、所定の条件により選別した行き先候補を表示用候補として決定する。
【００４２】
次いで、制御部３１は、ステップＳ３で決定された複数の表示用候補を複数段階に分類する（ステップＳ４）。
具体的には、制御部３１は、複数の表示用候補を現在地からの距離別に三段階に分類する。例えば、前述の所定の条件が１ｋｍである場合には、現在地から３００ｍまでの範囲を第一段階、３００ｍ以上６００ｍ以下の範囲を第二段階、６００ｍから１ｋｍまでの範囲を第三段階とし、各段階に収まるように複数の表示用候補を分類する。なお、段階数及び各段階の範囲はこれに限定されるものではなく、設計時に用途に応じて適切に求められる。
【００４３】
次いで、制御部３１は表示内容を決定する（ステップＳ５）。つまり、この制御部３１が本発明に係る表示内容決定手段である。
具体的には、制御部３１は、各表示用候補のアイコンが各段階毎に多重の同心円状に配置され、なおかつ携帯端末３の現在地（基準位置）に対して近い段階（第一段階）が中心側に配置され、携帯端末３に対して遠い段階（第三段階）が外側に配置されるように表示内容を決定する。
また、制御部３１は、ジャンル情報に基づいて複数の表示用候補をジャンル毎に分類し、ジャンル毎にまとまって複数の表示用候補のアイコンが配置されるように表示内容を決定する。
さらに、制御部３１は、中心側に配置される段階の前記アイコンが、外側に配置される段階の前記アイコンよりも大きく表示されるように表示内容を決定する。
【００４４】
次いで、制御部３１は、ステップＳ５で決定された表示内容を表示部３３に表示する（ステップＳ６）。これにより、行き先候補表示処理が終了する。
【００４５】
［３．表示内容の一例］
図８は、表示内容の一例を示す説明図である。
図８に示すように、表示部３３の中心には、図５の例で長押しされたアイコン３３ｂが配置されており、ユーザーの現在地近傍のランドマークが示されている。また、表示部３３には、行き先候補を示す複数のアイコンが三段階の同心円状に配置されている。なお、各段階のアイコンは、真円状、楕円状、略円状のいずれかに配列されていればよい。
第一段階のアイコン４１〜４７は最も内側に配置されている。第一段階のアイコン４１〜４７のうち、「飲食」ジャンルの複数のアイコン４１〜４４がまとめられ、「観光地」ジャンルの複数のアイコン４５，４６がまとめられて配置されている。残りの一つは「買い物」ジャンルのアイコン４７である。
第二段階のアイコン５１〜６７は、第一段階と第三段階の中間に配置されている。第二段階のアイコン５１〜６７のうち、「飲食」ジャンルの複数のアイコン５１〜５９がまとめられ、「観光地」ジャンルの複数のアイコン６０〜６７がまとめられて配置されている。
第三段階のアイコン７１〜８２は、最も外側に配置されている。第三段階のアイコン７１〜７６のうち、「飲食」ジャンルの複数のアイコン７１〜７６がまとめられ、「観光」ジャンルの複数のアイコン７７〜８２がまとめられて配置されている。
そして、第一段階のアイコン４１〜４７が最も大きく表示されていて、第二段階のアイコン５１〜６７が次いで大きく表示され、第三段階のアイコン７１〜８２が最も小さく表示されている。
【００４６】
そして、空き時間で訪問する行き先候補のアイコン（例えばアイコン４３）がユーザーによってタッチされると、タッチパネル３２２からの操作信号に基づいて制御部３１は当該アイコン４３に対応する行き先候補を新たな行き先として認識する。つまり、タッチパネル３２２が本発明に係る選択手段である。
その後、制御部３１は表示部３３を制御して、選択されたアイコン４３だけを残したまま計画内容表示に切り替える（図９参照）。ユーザーによるタッチが解除されると、制御部３１は表示部３３を制御して、アイコン３３ｂとアイコン３３ｃの間にアイコン４３を配置する。そして、記憶部３４は、ユーザーによって選択された新たな行き先を旅行の予定として記憶する。これにより、旅行の計画内容が変更される。
【００４７】
［４．効果］
以上のように、本実施形態によれば、複数の表示用候補のアイコン４１〜４７，５１〜６７，７１〜８２が段階毎に基準位置を中心とした多重の同心円状に配置されるので、表示内容を拡大、縮小しなくとも、基準位置から行き先候補までの距離感を直感的にユーザーに知らせることができる。
さらに、基準位置に対して近い段階（第一段階）が中心側に配置され、携帯端末３に対して遠い段階（第三段階）が外側に配置されているので、基準位置から行き先候補までの距離感をより一層直感的にユーザーに知らせることができる。
【００４８】
また、複数の表示用候補のアイコン４１〜４７，５１〜６７，７１〜８２がジャンル毎にまとまって表示されているので、行き先候補のジャンルの割合を直感的にユーザーに知らせることができる。また、ジャンル毎にまとまって表示されていれば、行き先検討もスムーズに行うことができる。
【００４９】
また、中心側に配置される段階のアイコン４１〜４７が、外側に配置される段階のアイコン５１〜６７，７１〜８２よりも大きく表示されているので、現在地から近い行き先候補のアイコン４１〜４７が他のアイコン５１〜６７，７１〜８２よりも目立って表示される。したがって、現在地から行き先候補までの距離感をより直感的にユーザーに知らせることができる。
【００５０】
また、空き時間で訪問する行き先候補のアイコン（例えばアイコン４３）がユーザーによってタッチされると、当該アイコン４３に対応する行き先候補を新たな行き先として記憶部３４が旅行の予定として記憶するので、旅行の予定をその場で更新することができる。
【００５１】
［５．その他］
なお、本発明は上記実施形態に限らず適宜変更可能である。
例えば、上記実施形態では、旅行時の空き時間に行き先候補表示が行われる場合を例示して説明したが、特に予定が決まっていない場合でも行き先候補表示を行うことも可能である。
また、本実施形態では、携帯端末３から各行き先候補のそれぞれまでの距離を移動コストとして、複数の行き先候補（表示用候補）を複数段階に分類しているが、距離を基準として求まるパラメータを移動コストとしてもよい。具体的には、訪問時間や訪問費用などが挙げられる。
訪問時間は、行き先候補検索時に推測される移動時間と滞在時間との合計の値である。移動時間は、移動手段の概算速度と距離から算出される。
訪問費用は、移動時にかかる移動費用と、行き先候補で必要な入場料等の滞在費用との合計の値である。
訪問時間、訪問費用いずれも値が小さい方が現在地に関連が強く、値が大きい方が現在地に関連が弱いと判断される。
【００５２】
また、本実施形態では、複数の表示用候補のアイコン４１〜４７，５１〜６７，７１〜８２が大カテゴリーであるジャンル毎にまとまって表示されている場合を例示して説明したが、小カテゴリーのジャンル毎にまとめて表示してもよい。
【００５３】
また、本実施形態では、サーバ装置１で行き先候補検索処理が実行される場合を例示して説明したが、携帯端末３の記憶部３４に地図情報が記憶されているならば携帯端末３側で行き先候補検索処理を行うことも可能である。
また、本実施形態では、携帯端末３の制御部３１が表示内容を決定する場合を例示して説明したが、サーバ装置１の制御部１１が表示内容を決定してもよい。
また、本実施形態では、基準位置情報として携帯端末３の現在位置の位置情報を例示して説明したが、ユーザーが携帯端末３を操作することで選択する任意の場所の位置情報を基準位置情報としてもよい。
【符号の説明】
【００５４】
１      サーバ装置
２      基地局
３      携帯端末（端末機器）
１１      制御部
１２      操作部
１３      表示部
１４      記憶部
１５      通信部
３１      制御部（表示内容決定手段）
３２      操作部
３３      表示部
３３ａ，３３ｂ，３３ｃ，３３ｄ    アイコン
３４      記憶部（記憶手段）
３５      現在位置取得部
３６      通信部
４１〜４７，５１〜６７，７１〜８２    アイコン
１００      先候補表示システム
３２１      キー入力部
３２２      タッチパネル（選択手段）
【図１】
0006034810.tif 000002
【図２】
0006034810.tif 000003
【図３】
0006034810.tif 000004
【図４】
0006034810.tif 000005
【図５】
0006034810.tif 000006
【図６】
0006034810.tif 000007
【図７】
0006034810.tif 000008
【図８】
0006034810.tif 000009
【図９】
0006034810.tif 000010